(57)【要約】【課題】不特定多数の人間・動物の接近時での誤動作を防ぎ、個人的機器の紛失を防ぐリモコン機器を提供する。【解決手段】人間を検知する人体検知手段、あらかじめ人体に付与／携帯した個人情報たとえばＲＦＩＤを検知するｉｄ情報検出手段あらかじめ任意のｉｄ情報の登録を行うｉｄ情報登録手段を備え、ｉｄ情報比較手段を介して、登録されたｉｄ情報を検出した場合にｉｄ動作制御手段により、特定の動作（振動／発音／発光）を行うことにより居場所を知らせるリモコン機器。および、ｉｄ情報ごとにリモコンの動作を割り当てるためのｉｄ動作登録手段を有することを特徴とするリモコン機器。【選択図】        図１
2004334678.tif 000002
【特許請求の範囲】
【請求項１】
接近した生物を検知する人感センサ：以下人体検知手段、かつあらかじめ人体に付与／携帯した個人情報たとえばＲＦＩＤ（Ｒａｄｉｏ  Ｆｒｅｑｕｅｎｃｙ  ＩＤｅｎｔｉｆｉｃａｔｉｏｎ）：（以降ｉｄ情報）を検知するｉｄ情報検出手段、あらかじめ任意のｉｄ情報の設定を行うｉｄ情報登録手段を備えたリモコン機器。
【請求項２】
前述、請求項１において、設定したｉｄ情報と、人体検知手段で接近した人体のｉｄ情報を比較する、ｉｄ情報比較手段を備えることを特徴とした前述リモコン機器。
【請求項３】
前述、請求項２について、ｉｄ情報比較手段により、ｉｄ情報が一致した場合、即ち、該当ｉｄ情報を携えた人間が接近した場合、ｉｄ動作制御手段により、振動／発光／発信を行うことによりリモコン機器の居場所を該当者へ知らせることを特徴とする前述リモコン機器。
【請求項４】
前述、請求項３において、居場所を知らせる動作のみならず、特定の動作を行うことを特徴とする前述リモコン機器。
【請求項５】
前述、請求項１について、人体検知手段で検知した場合に、特定の動作をすること特徴とするリモコン機器。
【請求項６】
前述、請求項３について、ｉｄ情報比較手段により、ｉｄ情報が一致しない場合、一切反応しないことを特徴とする前述リモコン機器。
【請求項７】
前述、請求項４について、ｉｄ情報ごとに特定の動作を行うために、ｉｄ情報とリモコン動作の関連付け設定を行うｉｄ動作登録手段を備えることを特徴とした前述リモコン機器。
【請求項８】
前述、請求項７において、ｉｄ動作登録手段にて登録された内容にしたがって、ｉｄ情報ごとに特定の動作を行うことを特徴とする前述リモコン機器。
【発明の詳細な説明】
【０００１】
【発明の属する技術分野】
本発明は人感センサ、ｉｄ情報検知センサを備えたリモコン機器に関するものである。
【０００２】
【従来の技術】
従来、リモコン機器のような個人的機器の紛失防止策は、個人による機器管理が重点になっており、ひとたび紛失すると記憶にたどって探索するしか方法がなかった。
【０００３】
また、人感センサを備えた機器においては、ｉｄ情報という概念がなく、不特定多数の生物の接近に反応して動作するものがほとんどであった。
【０００４】
【特許文献１】
特開平１０−２３３６７１号公報
【０００５】
【発明が解決しようとする課題】
本発明では、上述した欠点を除去し、リモコン機器のような個人的機器を紛失しても、該当者が近づくことにより機器自体が居場所を知らせてくれるため、紛失防止になり、かつ、該当者以外の不特定多数による接近にたいしても誤動作防止（反応しない）された機器を提供することにある。
【０００６】
【課題を解決するための手段】
（基本的な動作）
本発明の基本的な動作を、図１、図２、図３を使用して説明する。
【０００７】
まず、図１から説明する。１３０は本発明のリモコン装置、１３０に組み込まれている人感センサ装置により人体の侵入を検出できる範囲を１４０は示している。図１では、１１０はＲＦＩＤ（Ｒａｄｉｏ  Ｆｒｅｑｕｅｎｃｙ  ＩＤｅｎｔｉｆｉｃａｔｉｏｎ）タグを携帯した人間１００はまだ１４０の人感センサの範囲内に侵入していないことをあらわしている。次に図２では、同じ人間１００が１４０：人体検出範囲内に侵入したことをしめしており、これに反応してＲＦＩＤ１００の読み取りを行い、本発明リモコン機器がなんらかの動作（発光／発音／振動など）を行っていることを示している。なお１４０の範囲内においてＲＦＩＤの検出・情報読み込み可能とする。
【０００８】
図３では、同じく１４０：人体検出範囲内に侵入した人間１００に対して、ＲＦＩＤを携帯していないため、１３０のリモコン機器はなんら反応していないことをしめしている。
【０００９】
（ブロック図の説明）
図４では本発明の実施例におけるブロック図をしめす。
【００１０】
４１０の人体検出手段により人体検出を行う。４２０ｉｄ情報検出手段ではＲＦＩＤの情報を検出・読み出す。４２０で検出したｉｄ情報をつかって４３０ｉｄ情報比較手段を経由して、４４０ｉｄ情報登録手段により、ｉｄ情報を登録する。また、ｉｄ情報とリモコンの動作指定などの関連付けを４６０ｉｄ動作登録手段により行う。
【００１１】
実際の動作は、４１０人体検出、４２０でｉｄ情報を読み込み、４３０で設定済みのｉｄとの比較を行い、４４０ｉｄ動作制御手段にて動作を制御する。
【００１２】
（システム構成図の説明）
図５は本発明システム構成図をしめす。ＢＬ（バスライン）：７にて、処理を実行するＣＰＵ：１、人感センサ：２、ｉｄ検出センサ：３、通常のリモコン制御・本発明の手続きなどのプログラムが格納されたＦＬＲＯＭ：４、ワークエリアとして使用されるＲＡＭ：５、ボタン・ＩＲなどのＩ／Ｏ機器：６、場合によっては表示器：８が接続されている。ＦＬＲＯＭ：４には、前述ブロック図でしめしたｉｄ検出手段・ｉｄ情報登録手段・ｉｄ情報比較手段・ｉｄ動作制御手段・ｉｄ動作登録手段で使用されるｉｄＴＢＬ４０、ＣＯＤＥＴＢＬ４１、ＦＵＮＣＴＢＬ４２も含まれる。
【００１３】
【発明の実施の形態】
（データ構成図）
本発明で使用するデータ構造について図６で説明する。
【００１４】
ｉｄＴＢＬ：６１０
人体に付与／携帯したＲＦＩＤの情報を登録するエリアである。メモリの容量により登録数のサイズは制限されてもよい。未設定の場合、たとえば０クリアされているものとみなす。フォーマットについても特に定義しない。
【００１５】
ｉｄ情報検出手段、ｉｄ情報比較手段、ｉｄ動作制御手段で参照される。
【００１６】
ｉｄ情報登録手段にて登録（設定）される。
【００１７】
ＣＯＤＥＴＢＬ：６２０
ｉｄ動作制御手段でｉｄ情報ごとにことなる動作を行う場合には使用する。
【００１８】
前述ｉｄＴＢＬを示すインデックスなどでこのエリアが一対一で参照可能であれば特に連続してある必要はない。
【００１９】
ｉｄ動作制御手段で参照される。
【００２０】
ｉｄ動作登録手段で登録（設定）される。
【００２１】
ＦＵＮＣＴＢＬ：６３０
前述ＣＯＤＥＴＢＬで登録されたＣＯＤＥに相当する手続き（たとえば処理アドレス）があらかじめ登録されている。ＣＯＤＥ番号をインデックスとしてこのエリアが一対一で参照可能であれば特に連続してある必要はない。
【００２２】
ｉｄ動作制御手段で参照される。
【００２３】
（ｉｄ情報登録手段の実施例）
図７のフローにて本発明ｉｄ情報登録手段の実施例を説明する。
【００２４】
Ｓ１でｉｄ情報の検出・読み込みを行う。Ｓ２ではｉｄＴＢＬ全てに対して確認したか調べる。調べおわっていれば：Ｙｅｓ終了する。残りがあれば、Ｓ３にて登録可能（０クリアされているか）調べる。既に登録されていれば：Ｎｏ、Ｓ４でポインタを更新するなどして次のＴＡＢＬＥをしらべるため、Ｓ２へ戻る。
未登録の場合：ＹｅｓはＳ５にてｉｄ情報を登録して終了する。
【００２５】
（ｉｄ動作登録手段の実施例）
図８のフローにてｉｄ動作登録手続きの実施例を説明する。
【００２６】
図７のＳ５はｉｄ情報の登録だけであったが、Ｓ５の後にＳ６としてＳ６＿１、Ｓ６＿２の処理が追加される。
【００２７】
Ｓ６＿１でリモコンの動作を示す処理コードを読み込み、Ｓ６＿２でＣＯＤＥＴＢＬに登録する。ここでは、処理コード読み込みの操作仕様については詳しく述べないが、リモコンの動作、たとえばブザー音とリモコンの１キー押下を関連付けるなど、リモコンキーにいくつかの動作機能を割り当ててもよい。
【００２８】
（ｉｄ動作制御手段の実施例）
図９、図１０、図１１のフローにて本発明ｉｄ動作制御手段の実施例を説明する。
【００２９】
まず、図９から順に説明する。
【００３０】
Ｓ１で人感センサの検出を調べる。なければ：Ｎｏ  なにもしないで終了する。
【００３１】
反応あれば：ＹｅｓＳ２にてリモコンｉｄ動作制御（図１０）にうつる。
【００３２】
図１０のＳ１にてｉｄ検出・読み込みを行う。Ｓ２にてｉｄＴＢＬ全てについて確認したか調べ、確認済みであれば未登録：Ｙｅｓとして終了する。
【００３３】
次にｉｄＴＢＬ内に検出したｉｄ情報と一致するものがあるか調べる。なければ：Ｎｏポインタを更新するなどして次のＴＡＢＬＥをしらべるためＳ２へもどる。
【００３４】
登録済みであれば：Ｙｅｓ  Ｓ５にて発光／発音／振動などの動作を行って終了する。
【００３５】
なおＳ５ではｉｄごとに動作を制御しておらず、登録されているｉｄについて固定した動作を行っているのみである。
次に図１１のフローにてｉｄ動作登録手段で行ったｉｄごとの動作を制御する場合について説明する。
【００３６】
図１０のＳ５の処理の部分をＳ５＿１、Ｓ５＿２の処理で置き換える。
【００３７】
すなわち、読み込んだｉｄ情報からＳ５＿１にてＣＯＤＥＴＢＬを読み出し、Ｓ５＿２にてＦＵＮＣＴＢＬ実行（登録されているＣＯＤＥードに相当する手続きを実行する）する。
【００３８】
（その他の実施例）
まったくｉｄ情報登録がなされていない場合には、デフォルト動作（たとえばブザーオンの繰り返しなど）を行う。
【００３９】
ｉｄ情報登録されていないｉｄ情報を検出した場合には、デフォルト動作（たとえば振動）を行う。
【００４０】
【発明の効果】
以上説明したとおり、本発明では、リモコン機器のような個人的機器を紛失、置き場所を忘れても、ｉｄ登録者が接近すると居場所を知らせることが可能になった。または、登録した動作を行うリモコン機器を提供することが可能になった。
【図面の簡単な説明】
【図１】本発明の動作イメージ例
【図２】本発明の動作イメージ例
【図３】本発明の動作イメージ例
【図４】本発明全体構成図
【図５】本発明システム構成図
【図６】本発明ｉｄＴＢＬ、ＣＯＤＥＴＢＬ、ＦＵＮＣＴＢＬデータ構造例
【図７】本発明ｉｄ情報登録手段のフロー
【図８】本発明ｉｄ動作登録手段のフロー
【図９】本発明ｉｄ動作制御手段のフロー
【図１０】本発明ｉｄ動作制御手段のフロー
【図１１】本発明ｉｄ動作制御手段のフロー
【図１】
2004334678.tif 000003
【図２】
2004334678.tif 000004
【図３】
2004334678.tif 000005
【図４】
2004334678.tif 000006
【図５】
2004334678.tif 000007
【図６】
2004334678.tif 000008
【図７】
2004334678.tif 000009
【図８】
2004334678.tif 000010
【図９】
2004334678.tif 000011
【図１０】
2004334678.tif 000012
【図１１】
2004334678.tif 000013